(57)【要約】      （修正有）【課題】固定接点と可動接点との間にゴミやホコリなどの異物が付着しても導通が安定する対向接点スイッチを提供する。【解決手段】対向接点スイッチのスライダ２内部にコンタクタ３を収納するコンタクタ収納部２ｂを設け、コンタクタ収納部２ｂの上端に斜辺部２ｅを設けるとともにコンタクタ３の一端に設けた可動接点３ａの下面は略球面状の面にすることで対向接点スイッチに滑り機構を簡単に設けることができ、滑り機構を設けることで可動接点３ａと固定接点５ａは常に導通可能の状態にすることができるため、コストを上げることなく安定したスイッチを提供できる。【選択図】図２
0003198871.tif 000002
【実用新案登録請求の範囲】
【請求項１】
ターミナルベースの上面に設けた固定接点と、一端が該ターミナルベースの上面に接し、他端は該ターミナルベースの上面より垂直に移動可能なスライダと接するリターンスプリングと、コンタクタスプリングにより付勢された状態で該スライダに移動可能にし、該スライダとともに移動可能なコンタクタと、該コンタクタを該スライダの内部に収納するコンタクタ収納部と、該コンタクタの一端に設けられ該固定接点と接する可動接点から構成される対抗接点スイッチにおいて、該コンタクタ収納部の上端に斜辺部を設け、該可動接点の下面は略球面状にすることを特徴とする対抗接点スイッチ。
【考案の詳細な説明】
【技術分野】
【０００１】  本考案は対向接点スイッチに関するものである。
【背景技術】
【０００２】  従来において、この種の対抗接点スイッチ装置は、固定接点と、可動接点を有するスライダとを、固定接点と可動接点とが互いに対向するような状態で配置し、スライダをその対向方向へ移動させることに伴い、可動接点を固定接点に対して切離させる構成となっている。
【先行技術文献】
【特許文献】
【０００３】
【特許文献１】  実開平５−７５９２３
【考案の概要】
【考案が解決しようとする課題】
【０００４】  従来の構成では、固定接点と可動接点との間にゴミやホコリなどの異物が付着すると導通が不安定になる問題があり、その対策として製造段階にて異物が入らないようクリーンルームを設置するなど施設設置によるコストが掛かる問題や、スイッチの複雑化、部品点数増加などコストが掛かる問題がある。【０００５】  本考案は上記の問題を解決するものである。
【課題を解決するための手段】
【０００６】  前記問題を解決するために本考案にかかる対向接点スイッチ装置は、ターミナルベースの上面に設けた固定接点と、一端がターミナルベースの上面に接し、他端はターミナルベースの上面より垂直に移動可能なスライダと接するリターンスプリングと、コンタクタスプリングにより付勢された状態でスライダに移動可能にし、該スライダとともに移動可能なコンタクタと、コンタクタを該スライダの内部に収納するコンタクタ収納部と、コンタクタの一端に設けられ固定接点と接する可動接点から構成される対抗接点スイッチにおいて、コンタクタ収納部の上端に斜辺部を設け、可動接点の下面は略球面状にするものである。
【考案の効果】
【０００７】  本考案の対抗接点スイッチは上記のような構成であるため、対向接点スイッチに滑り機構を簡単に設けることができ、滑り機構を設けることで可動接点、固定接点は常に導通可能状態にすることができるため、ゴミやホコリなどの異物が付着しても安定したスイッチを提供でき、施設設置や部品点数の増加をすることなく安定したスイッチを提供できる。
【図面の簡単な説明】
【０００８】
【図１】図１は本考案に係る対抗接点スイッチの外観斜視図である。
【図２】図２は図１の分解斜視図である。
【図３】図３は図１よりボデー１を除いた右側面図である。
【考案を実施するための形態】
【０００９】  以下。本考案に係る対向接点スイッチを図に基づいて説明する。
【実施例】
【００１０】  図１は本発明に係る対向接点スイッチの外観斜視図であり、図２は図１の分解斜視図である。【００１１】  図１より１は本考案に係る対向接点スイッチのボデーである。ボデー１は樹脂で形成し、ボデー１の上面には後述するスライダ２の押部が突出する突出孔１ａを設ける。また、図示しないが、ボデー１内には後述するスライダ２が収納されるスライダ収納部及び、後述するターミナルベース５を固定する固定部を設ける。【００１２】  図２より２は本考案に係るスイッチのスライダである。スライダ２は樹脂で形成し、スライダ２の上面には凸状の押部２ａを設ける。また、スライダ２には、後述するコンタクタ３を収納するためのコンタクタ収納部２ｂを設け、スライダ２の下面にはリターンスプリング６が挿入されるリターンスプリング挿入穴を設ける（図示せず）。【００１３】  コンタクタ収納部２ｂにはその両側面にコンタクタ３が可動できる溝２ｃ，２ｃを設ける。溝２ｃ，２ｃの幅はコンタクタ３の幅より広く設け、溝２ｃ，２ｃの下端部にはコンタクタ３を係止する係止部２ｄ、２ｄを設けるとともにコンタクタ収納部２ｂの上端には斜辺部２ｅ，２ｅを設ける。【００１４】  また、コンタクタ収納部２ｂの下面には後述するコンタクタスプリング４が挿入されるコンタクタスプリング挿入穴を設ける（図示せず）。【００１５】  図２より３は本考案に係るスイッチ装置のコンタクタである。コンタクタ３は金属で形成されており、コンタクタ３の下面には可動接点３ａ，３ａが設けられる。また、可動接点３ａ，３ａの下面は略球面状である。【００１６】  ４はコンタクタ３とコンタクタ収納部２ｂとの間に設けられるコンタクタスプリングであり、コンタクタスプリング４はコンタクタ収納部２ｂに設けたコンタクタスプリング挿入穴内に挿入される。このコンタクタスプリング４によりコンタクタ３は下方に付勢される。【００１８】  ５は本発明に係るスイッチ装置のターミナルベースであり、ターミナルベース５には固定接点５ａ，５ａを設ける。また、固定接点５ａ，５ａは可動接点３ａ，３ａと対向するように設置する。【００１９】  ６はスライダ２とターミナルベース５との間に設けられるリターンスプリングであり、リターンスプリング６の一端はターミナルベースと接し、他端はスライダ２に設けたリターンスプリング挿入穴内に挿入される。このリターンスプリング６によりスライダ２は上方に付勢される。【００２０】  図３（ａ）〜（ｄ）より動作について説明する。また、説明を明確にするためボデー１は省いている。【００２１】  図３（ａ）より可動接点３ａ，３ａと固定接点５ａ，５ａとの間はリターンスプリング６の付勢により離れた状態となり、ＯＦＦ状態となる。【００２２】  図３（ａ）よりリターンスプリング６の付勢に抗するようにスライダ２を下方に動かすと、可動接点３ａ，３ａ及び固定接点５ａ，５ａは互いに接する図３（ｂ）の状態となる。【００２３】  このとき、固定接点５ａ，５ａ間はコンタクタ３により導通となるため、スイッチがＯＮ状態になる。【００２４】  更に、コンタクタスプリング４及びリターンスプリング６の付勢に抗するようにスライダ２を下方に動かすとコンタクタ３の上部の一端とスライダ２に設け��斜辺部２ｅ，２ｅの一端が接する図３（ｃ）状態となる。【００２５】  図３（ｃ）の状態より更に下方に付勢すると、可動接点３ａは、斜面部２ｅ，２ｅ、コンタクタスプリング４及び可動接点３ａ，３ａに設けた略球面より、固定接点５ａ，５ａ上をスライダ２の動作方向より垂直方向へ滑りながら移動する。そして、コンタクタ３の上部はスライダ２に設けた斜辺部２ｅ，２ｅの面と接する図３（ｄ）状態になる。【００２６】  上述の説明より、例えば可動接点３ａ，３ａと固定接点５ａ，５ａ間にゴミやホコリなど異物があった場合でも、異物を取り除くように滑りながら移動する滑り機構が設けられるため可動接点３ａ，３ａ及び固定接点５ａ，５ａは常に導通可能状態となる。【００２７】  スライダ２の動作を解除すると、リターンスプリング６の付勢によりスライダ２は上方に移動し、またコンタクタスプリング４の付勢によりコンタクタ３は下方に移動して図（ａ）の状態に戻る。
【産業上の利用可能性】
【００２８】  本考案の対抗接点スイッチは、スライダ内部にコンタクタを収納するコンタクタ収納部を設け、コンタクタ収納部の上端に斜片部を設け、コンタクタに設けた可動接点の下面は略球面上の面にすることで対抗接点スイッチに滑り機構が簡単に設けられるため、ゴミやホコリなどの異物への対策が容易にでき、安定したスイッチを提供できる。産業上の利用可能性は高いものである。
【符号の説明】
【００２９】１  …  ボデー
１ａ  …  突出孔
２  …  スライダ
２ａ  …  押部
２ｂ  …  コンタクタ収納部
２ｃ  …  溝
２ｄ  …  係止部
２ｅ  …  斜辺部
３  …  コンタクタ
３ａ  …  可動接点
４  …  コンタクタスプリング
５  …  ターミナルベース
５ａ  …  固定接点
６  …  リターンスプリング
【図１】
0003198871.tif 000003
【図２】
0003198871.tif 000004
【図３】
0003198871.tif 000005
0003198871.tif 000006
【手続補正書】
【提出日】平成27年6月5日(2015.6.5)
【手続補正１】
【補正対象書類名】明細書
【補正対象項目名】全文
【補正方法】変更
【補正の内容】
【考案の詳細な説明】
【技術分野】
【０００１】  本考案は対向接点スイッチに関するものである。
【背景技術】
【０００２】  従来において、この種の対向接点スイッチ装置は、固定接点と、可動接点を有するスライダとを、固定接点と可動接点とが互いに対向するような状態で配置し、スライダをその対向方向へ移動させることに伴い、可動接点を固定接点に対して切離させる構成となっている。
【先行技術文献】
【特許文献】
【０００３】
【特許文献１】  実開平５−７５９２３
【考案の概要】
【考案が解決しようとする課題】
【０００４】  従来の構成では、固定接点と可動接点との間にゴミやホコリなどの異物が付着すると導通が不安定になる問題があり、その対策として製造段階にて異物が入らないようクリーンルームを設置するなど施設設置によるコストが掛かる問題や、スイッチの複雑化、部品点数増加などコストが掛かる問題がある。【０００５】  本考案は上記の問題を解決するものである。
【課題を解決するための手段】
【０００６】  前記問題を解決するために本考案にかかる対向接点スイッチ装置は、ターミナルベースの上面に設けた固定接点と、一端がターミナルベースの上面に接し、他端はターミナルベースの上面より垂直に移動可能なスライダと接するリターンスプリングと、コンタクタスプリングにより付勢された状態でスライダに移動可能にし、該スライダとともに移動可能なコンタクタと、コンタクタを該スライダの内部に収納するコンタクタ収納部と、コンタクタの一端に設けられ固定接点と接する可動接点から構成される対向接点スイッチにおいて、コンタクタ収納部の上端に斜辺部を設け、可動接点の下面は略球面状にするものである。
【考案の効果】
【０００７】  本考案に係る対向接点スイッチは上記のような構成であるため、対向接点スイッチに滑り機構を簡単に設けることができ、滑り機構を設けることで可動接点、固定接点は常に導通可能状態にすることができるため、ゴミやホコリなどの異物が付着しても安定したスイッチを提供でき、施設設置や部品点数の増加をすることなく安定したスイッチを提供できる。
【図面の簡単な説明】
【０００８】
【図１】図１は本考案に係る対向接点スイッチの外観斜視図である。
【図２】図２は図１の分解斜視図である。
【図３】図３は図１よりボデー１を除いた右側面図である。
【考案を実施するための形態】
【０００９】  以下。本考案に係る対向接点スイッチを図に基づいて説明する。
【実施例】
【００１０】  図１は本考案に係る対向接点スイッチの外観斜視図であり、図２は図１の分解斜視図である。【００１１】  図１より１は本考案に係る対向接点スイッチのボデーである。ボデー１は樹脂で形成し、ボデー１の上面には後述するスライダ２の押部が突出する突出孔１ａを設ける。また、図示しないが、ボデー１内には後述するスライダ２が収納されるスライダ収納部及び、後述するターミナルベース５を固定する固定部を設ける。【００１２】  図２より２は本考案に係る対向接点スイッチのスライダである。スライダ２は樹脂で形成し、スライダ２の上面には凸状の押部２ａを設ける。また、スライダ２には、後述するコンタクタ３を収納するためのコンタクタ収納部２ｂを設け、スライダ２の下面にはリターンスプリング６が挿入されるリターンスプリング挿入穴を設ける（図示せず）。【００１３】  コンタクタ収納部２ｂにはその両側面にコンタクタ３が可動できる溝２ｃ，２ｃを設ける。溝２ｃ，２ｃの幅はコンタクタ３の幅より広く設け、溝２ｃ，２ｃの下端部にはコンタクタ３を係止する係止部２ｄ、２ｄを設けるとともにコンタクタ収納部２ｂの上端には斜辺部２ｅ，２ｅを設ける。【００１４】  また、コンタクタ収納部２ｂの下面には後述するコンタクタスプリング４が挿入されるコンタクタスプリング挿入穴を設ける（図示せず）。【００１５】  図２より３は本考案に係る対向接点スイッチのコンタクタである。コンタクタ３は金属で形成されており、コンタクタ３の下面には可動接点３ａ，３ａが設けられる。また、可動接点３ａ，３ａの下面は略球面状である。【００１６】  ４はコンタクタ３とコンタクタ収納部２ｂとの間に設けられるコンタクタスプリングであり、コンタクタスプリング４はコンタクタ収納部２ｂに設けたコンタクタスプリング挿入穴内に挿入される。このコンタクタスプリング４によりコンタクタ３は下方に付勢される。【００１７】  ５は本考案に係る対向接点スイッチのターミナルベースであり、ターミナルベース５には固定接点５ａ，５ａを設ける。また、固定接点５ａ，５ａは可動接点３ａ，３ａと対向するように設置する。【００１８】  ６はスライダ２とターミナルベース５との間に設けられるリターンスプリングであり、リターンスプリング６の一端はターミナルベースと接し、他端はスライダ２に設けたリターンスプリング挿入穴内に挿入される。このリターンスプリング６によりスライダ２は上方に付勢される。【００１９】  図３（ａ）〜（ｄ）より動作について説明する。また、説明を明確にするためボデー１は省いている。【００２０】  図３（ａ）より可動接点３ａ，３ａと固定接点５ａ，５ａとの間はリターンスプリング６の付勢により離れた状態となり、ＯＦＦ状態となる。【００２１】  図３（ａ）よりリターンスプリング６の付勢に抗するようにスライダ２を下方に動かすと、可動接点３ａ，３ａ及び固定接点５ａ，５ａは互いに接する図３（ｂ）の状態となる。【００２２】  このとき、固定接点５ａ，５ａ間はコンタクタ３により導通となるため、スイッチがＯＮ状態になる。【００２３】  更に、コンタクタスプリング４及びリターンスプリング６の付勢に抗するようにスライダ２を下方に動かすとコンタクタ３の上部の一端と��ライダ２に設けた斜辺部２ｅ，２ｅの一端が接する図３（ｃ）状態となる。【００２４】  図３（ｃ）の状態より更に下方に付勢すると、可動接点３ａは、斜面部２ｅ，２ｅ、コンタクタスプリング４及び可動接点３ａ，３ａに設けた略球面より、固定接点５ａ，５ａ上をスライダ２の動作方向より垂直方向へ滑りながら移動する。そして、コンタクタ３の上部はスライダ２に設けた斜辺部２ｅ，２ｅの面と接する図３（ｄ）状態になる。【００２５】  上述の説明より、例えば可動接点３ａ，３ａと固定接点５ａ，５ａ間にゴミやホコリなど異物があった場合でも、異物を取り除くように滑りながら移動する滑り機構が設けられるため可動接点３ａ，３ａ及び固定接点５ａ，５ａは常に導通可能状態となる。【００２６】  スライダ２の動作を解除すると、リターンスプリング６の付勢によりスライダ２は上方に移動し、またコンタクタスプリング４の付勢によりコンタクタ３は下方に移動して図（ａ）の状態に戻る。
【産業上の利用可能性】
【００２７】  本考案に係る対向接点スイッチは、スライダ内部にコンタクタを収納するコンタクタ収納部を設け、コンタクタ収納部の上端に斜片部を設け、コンタクタに設けた可動接点の下面は略球面上の面にすることで対抗接点スイッチに滑り機構が簡単に設けられるため、ゴミやホコリなどの異物への対策が容易にでき、安定した対向接点スイッチを提供できる。産業上の利用可能性は高いものである。
【符号の説明】
【００２８】１  …  ボデー
１ａ  …  突出孔
２  …  スライダ
２ａ  …  押部
２ｂ  …  コンタクタ収納部
２ｃ  …  溝
２ｄ  …  係止部
２ｅ  …  斜辺部
３  …  コンタクタ
３ａ  …  可動接点
４  …  コンタクタスプリング
５  …  ターミナルベース
５ａ  …  固定接点
６  …  リターンスプリング
【手続補正２】
【補正対象書類名】実用新案登録請求の範囲
【補正対象項目名】全文
【補正方法】変更
【補正の内容】
【実用新案登録請求の範囲】
【請求項１】
ターミナルベースの上面に設けた固定接点と、一端が該ターミナルベースの上面に接し、他端は該ターミナルベースの上面より垂直に移動可能なスライダと接するリターンスプリングと、コンタクタスプリングにより付勢された状態で該スライダに移動可能にし、該スライダとともに移動可能なコンタクタと、該コンタクタを該スライダの内部に収納するコンタクタ収納部と、該コンタクタの一端に設けられ該固定接点と接する可動接点から構成される対向接点スイッチにおいて、該コンタクタ収納部の上端に斜辺部を設け、該可動接点の下面は略球面状にすることを特徴とする対向接点スイッチ。
【手続補正３】
【補正対象書類名】図面
【補正対象項目名】全図
【補正方法】変更
【補正の内容】
【図１】
0003198871.tif 000007
【図２】
0003198871.tif 000008
【図３】
0003198871.tif 000009